(57)【要約】
【課題】　長尺なエアホース、各種のケーブル類等を特にその使用場所で簡単に巻回して収納保管でき、使用場所での取り付け設置も容易であるようにする。
【解決手段】　壁面、各種機器側面等に取り付けるハンガー本体１から成り、このハンガー本体１は、巻回湾曲している長尺品Ｌを掛ける湾曲状のほぼ半円筒状のハンガー部２と、このハンガー部２のいずれか一方の開口縁外方に突出させて一体に連設する支持フランジ部３とを備える。ハンガー部２のいずれか他方の開口縁には取付閉塞板４を設け、この取付閉塞板４には打撃によって開口する固着孔７を形成する。また取付閉塞板４には、取付体１１から露出している磁石体１２を固着して成る取付手段１０を固定する。支持フランジ部３には、ハンガー部２に掛けた長尺品Ｌを外部から視認させる確認覗き窓６を開口形成する。
【選択図】　　　図３
0003100418.tif 000002
【実用新案登録請求の範囲】
【請求項１】
　壁面、各種機器側面等に取り付けられるハンガー本体から成り、このハンガー本体は、巻回されることで湾曲している長尺品が掛けられる湾曲状のほぼ半円筒状のハンガー部と、このハンガー部のいずれか一方の開口縁外方に突出されて一体に連設される支持フランジ部とを備えていることを特徴とするコード等の長尺品のハンガー。
【請求項２】
　ハンガー部のいずれか他方の開口縁には、取付閉塞板を設けてある請求項１に記載のコード等の長尺品のハンガー。
【請求項３】
　取付閉塞板には打撃によって開口される固着孔を形成してある請求項１または２に記載のコード等の長尺品のハンガー。
【請求項４】
　取付閉塞板には、取付体にこの取付体から露出している磁石体を固着して成る取付手段を固定してある請求項１乃至３のいずれかに記載のコード等の長尺品のハンガー。
【請求項５】
　支持フランジ部には、ハンガー部に掛けた長尺品を外部から視認させる確認覗き窓を開口形成してある請求項１乃至４のいずれかに記載のコード等の長尺品のハンガー。
【考案の詳細な説明】
【技術分野】
【０００１】
　この考案は例えば自動車整備工場、各種製作工場その他で使用される各種のケーブル類、空調機器用のエアホースその他の長尺品を纏めてコンパクトな状態で保管できるようにしたコード等の長尺品のハンガーに関する。
【背景技術】
【０００２】
　従来から各種のケーブル類やエアホース等の長尺品は、これを収納保管するに際し、そのまま巻回して適宜箇所に保管したり、リール装置によって巻回してその内部に収納したりしており、特に一時的にでも保管する場合には、巻回するにしても面倒であるためにそのまま乱雑な状態で寄せるように纏められることが多い。ただ、このように単に寄せて纏めたままにすると多数の例えばエアホース、ケーブル類は結果として散乱状態になって、しかも互いに絡まり、次回の使用に差し障りが生じることがある。
【０００３】
　これを解消すべく、例えば特許文献１、２にあるように壁等に付設するフック形態のハンガーが提案されている。特許文献１による電源プラグハンガーは、電源コードにおける電源プラグを挟み込むように二股状のアームを設けたものであり、特許文献２によるコード処理用フックの構造は、筒状体からなるフック本体の基部側にコードを引っ掛ける切り込みを設けたものを所定間隔を隔てることで対状に配置して使用するものである。
【特許文献１】実開平６−４８１７９号公報
【特許文献２】登録実用新案第３０５８８６８号公報
【考案の開示】
【考案が解決しようとする課題】
【０００４】
　ところがこのような従来の特許文献１によるものでは、コード類の電源プラグを引っ掛けるだけであるから、コード類の各別の整理収納は可能であっても長尺なコード類はそのままの状態で例えば床面等に置かれたままであるために、絡まり状になることがある。また特許文献２によるものでは、使用に際し例えば上下に適宜間隔を隔てて配置されて両者間に掛け渡されるように巻回収納されるために、その配置間隔に対応した巻回作業が必要となり、コード類の長さに長短があるとその全てに対応可能なものではない等の面倒な手間がかかるばかりでなく、壁等に対して簡単に取付可能なものではないのである。
【０００５】
　そこでこの考案は叙上のような従来存した諸事情に鑑み案出されたもので、例えば自動車整備工場、各種の製作工場その他における長尺なエアホース、各種のケーブル類等を特にその使用場所で簡単に巻回して収納保管でき、使用場所での取り付け設置も容易であるばかりでなく、取り扱いも簡単であるコード等の長尺品のハンガーを提供することを目的とする。
【課題を解決するための手段】
【０００６】
　上述した課題を解決するため、この考案にあっては、壁面、各種機器側面等に取り付けられるハンガー本体１から成り、このハンガー本体１は、巻回されることで湾曲している長尺品Ｌが掛けられる湾曲状のほぼ半円筒状のハンガー部２と、このハンガー部２のいずれか一方の開口縁外方に突出されて一体に連設される支持フランジ部３とを備えているものである。
　ハンガー部２のいずれか他方の開口縁には、取付閉塞板４を設けて構成することができ、更に、この取付閉塞板４には打撃によって開口される適数好ましくは複数の固着孔７を形成することができる。
　また取付閉塞板４には、取付体１１にこの取付体１１から露出している磁石体１２を固着して成る取付手段１０を、必要があれば着脱自在にして、固定して構成することができる。
　支持フランジ部３には、ハンガー部２に掛けた長尺品Ｌを外部から視認させる確認覗き窓６を開口形成することができる。
【０００７】
　以上のように構成されたこの考案に係るコード等の長尺品のハンガーにあって、壁面、各種機器（Ｄ）側面等に取付セットされることで、例えばエアホース、ケーブル類等の長尺な部材である各種の長尺品Ｌをハンガー部２に掛けることで保管させ、また巻回させて掛けることで纏めた状態で保持させる。
　湾曲状のハンガー部２は、長尺品Ｌを損傷させることなく保持させ、ハンガー部２に掛けられた長尺品Ｌはハンガー部２外方に突出される支持フランジ部３によって脱落等を阻止させて保持させ、また正面から見て確認覗き窓６を経てハンガー部２上の長尺品Ｌを直接に視認させる。
　取付閉塞板４における固着孔７はその閉塞片８を打撃除去することで開口され、例えば木ねじその他の固着部材Ｆによって壁面等に取り付けさせ、また取付手段１０の磁石体１２による磁力によって磁着可能な例えばワークデスクＤ側面等に取り付けさせる。
【考案の効果】
【０００８】
　以上のように構成されるこの考案によれば、例えば自動車整備工場、各種の製作工場その他において壁面、各種機器の側面等に取付セットしておくことで、長尺な空気機器用のエアホース、各種の電気機器類のケーブル類等を特にその使用場所で簡単に巻回して収納保管できるのであり、しかも使用場所での取り付け設置も容易で、取り扱いも簡単である等の効果を奏するものである。
【０００９】
　また、壁面、各種機器（Ｄ）側面に対する取り付け設置は、ハンガー本体１における取付閉塞板４のノックアウト式に開穿される固着孔７に挿通した固着部材Ｆによるものとしたり、取付手段１０における磁石体１２の磁力によるものとしたりできるので、取り付け場所を選ばず、多様な形態で取り付けできる汎用性がある。
【００１０】
　更に長尺品Ｌを掛けるハンガー部２は、湾曲状の半円筒状に形成されているために、長尺品Ｌを損傷させずに体裁良く保持でき、しかも保持している長尺品Ｌは、ハンガー部２に一体状にしてハンガー部２の外方に突出形成した支持フランジ部３によって脱落されることなく確実に保持されると共に、開口形成してある確認覗き窓６によって簡単に視認できる等、長尺品Ｌの使用場所におけるその整理、整頓に大きく役立ち、作業環境を改善できるのである。
【００１１】
　尚、上記の課題を解決するための手段、考案の効果の項夫々において付記した符号は、図面中に記載した構成各部を示す部分との参照を容易にするために付したもので、図面中の符号によって示された構造・形状にこの考案が限定されるものではない。
【考案を実施するための最良の形態】
【００１２】
　以下図面を参照してこの考案を実施するための最良の一形態を説明すると、図において示される符号１は例えばエアシリンダその他のエア機器用のエアホース、各種電気機器用のケーブル類等の所定長さの長尺品Ｌを巻回した状態にして保持すべく、壁面、各種機器側面等に取り付けられるハンガー本体であり、例えばＰＰと称されるポリプロピレン樹脂等の合成樹脂によって形成されている。このハンガー本体１は、巻回されることで湾曲している長尺品Ｌが掛けられる湾曲状の、正面から見て例えば半円筒形状を呈するハンガー部２と、このハンガー部２のいずれか一方の開口縁外方に突出状態で一体に連設されることで、ハンガー部２に支持させた長尺品Ｌのハンガー部２からの脱落を阻止するようにした支持フランジ部３とから成り、正面から見た全体形状はほぼ半円形状を呈し、また側面から見た全体形状はほぼＬ字状を呈している。
【００１３】
　ハンガー部２自体は半円筒状を呈するも、その湾曲面部端縁においてはやや外方に拡開させることで、支持させる長尺品Ｌに対する支持安定性を一層向上可能なものとさせるようにしてある。
【００１４】
　支持フランジ部３はハンガー部２の外形に対して相似形にした外形を呈していて、図示例にあってはハンガー部２の外径のほぼ２倍程度の外径を有するものとしてあるも、その大きさ、支持フランジ部３、ハンガー部２相互間の大きさ比率等はこれに限定されるものではない。
【００１５】
　またハンガー部２の支持フランジ部３が連設されていない側の他方の開口縁には、この開口部分を閉塞する取付閉塞板４が一体に設けられている。そして、この取付閉塞板４及び支持フランジ部３の正面側には例えば同心円状、放射状等に配列される突条状の補強ビード５が設けられていることで、取付閉塞板４及び支持フランジ部３夫々の支持した長尺品Ｌによる重量、外部からの衝撃その他に対する補強性が図れるようにしてある。
【００１６】
　更に支持フランジ部３には、ハンガー部２に掛けられ、支持フランジ部３によって隠蔽されることがある長尺品Ｌ等を正面から直接に視認できるように例えば正面から見て円形状を呈する確認覗き窓６が開口形成されており、図示例にあるように左右で対状に配列されている。
【００１７】
　また取付閉塞板４には、この取付閉塞板４を例えば壁面等に直接に当接し、木ねじ等によって固着するための固着孔７が形成されており、この固着孔７は図例のように、外部からの強制的な打撃力の付与で除去、開穿されるように薄肉状の閉塞片８によって通常は閉塞されている。すなわち例えばポンチ等の打撃具Ｈを閉塞片８部位にあてがい、打撃力の付与で閉塞片８が除去されることによっていわゆるノックアウト孔として開口され（図５参照）、この開口された固着孔７に挿通される木ねじ、釘更には取付ねじ等の固着部材Ｆによって壁面等にしっかりと固着できるようにしてある。
【００１８】
　一方、ハンガー本体１自体を磁力によって例えばスチール製の作業用のワークデスクＤ等に固定する取付手段１０がハンガー本体１に固定されている。この取付手段１０は、取付閉塞板４にねじ止め等によって固着される扁平キャップ状の取付体１１内に例えば扁平ドーナツ板状の磁石体１２を接着剤等によって接着固定したもので、磁石体１２面は取付体１１内から露出されている。この取付手段１０によって磁着可能な種々な箇所にハンガー本体１を簡単に取付セットできるものとしてある。
【００１９】
　次にこれの使用の一例を説明すると、磁石体１２を備えた取付手段１０が固定されている場合には、そのまま磁着可能な箇所例えばスチール製のワークデスクＤ側面等に磁石体１２によって固定セットすればよく（図３、図４参照）、またねじ込み可能な壁面等であれば取付手段１０を取り外した取付閉塞板４における閉塞片８を除去することで開口した固着孔７に例えば木ねじ等の固着部材Ｆを挿通してねじ込むことで固定セットすればよいのである（図５参照）。このとき、ハンガー本体１におけるハンガー部２の湾曲面は上向きにされているのであり、収納保管すべきエアホース、ケーブル類を巻回した状態にしてハンガー部２の湾曲面に沿って掛けることで保持するのである。
【図面の簡単な説明】
【００２０】
【図１】この考案を実施するための最良の一形態を示す正面から見た分解斜視図である。
【図２】同じく背面から見たハンガー本体の斜視図である。
【図３】同じく使用状態の断面図である。
【図４】同じく使用状態の斜視図である。
【図５】同じく他の実施の形態における使用状態の断面図である。
【符号の説明】
【００２１】
Ｄ…ワークデスク　　　　　　　　　　　　Ｆ…固着部材
Ｈ…打撃具　　　　　　　　　　　　　　　Ｌ…長尺品
１…ハンガー本体　　　　　　　　　　　　２…ハンガー部
３…支持フランジ部　　　　　　　　　　　４…取付閉塞板
５…補強ビード　　　　　　　　　　　　　６…確認覗き窓
７…固着孔　　　　　　　　　　　　　　　８…閉塞片
１０…取付手段　　　　　　　　　　　　　１１…取付体
１２…磁石体
【図１】
0003100418.tif 000003
【図２】
0003100418.tif 000004
【図３】
0003100418.tif 000005
【図４】
0003100418.tif 000006
【図５】
0003100418.tif 000007